(57)【要約】【課題】インターホン直接通話機能点検の無人化、及びインターホン子機のマイク／スピーカの点検機能の自動化により、点検時間作業の削減を図ることができるエレベータ通話装置の自動点検装置を得る。【解決手段】エレベータ故障時に外部の監視センターへ電話回線で自動通報する機能と、通報時にかご内インターホンを利用してかご内から監視センターと直接通話する機能とを有するエレベータ通信制御装置において、エレベータ通信制御装置１がかご内インターホンスピーカ５から音声を流してインターホンマイク７から入力した音声を監視センターへ送信することによって、直接通話機能を自動点検できるようにする。【選択図】図１
2007119106.tif 000002
【特許請求の範囲】
【請求項１】
エレベータ故障時に外部の監視センターへ電話回線で自動通報する機能と、通報時にかご内インターホンを利用してかご内から監視センターと直接通話する機能とを有するエレベータ通信制御装置において、
エレベータ通信制御装置がかご内インターホンスピーカから音声を流してインターホンマイクから入力した音声を監視センターへ送信することによって、直接通話機能を自動点検できるようにしたことを特徴とするエレベータ通話装置の自動点検装置。
【請求項２】
エレベータ制御装置がエレベータの利用が少ない閑散時間帯になった時、これを自動的に検出してエレベータ通信制御装置に直接通話機能自動点検モードへ移行する指令を出力することを特徴とする請求項１記載のエレベータ通話装置の自動点検装置。
【請求項３】
エレベータ通信制御装置は、任意の音声データをデジタルデータとして記憶する音声データ部と、前記音声データに記憶されているデジタルデータをアナログ音声に変換する音声データ変換部と、かご内インターホンスピーカから音声を流してインターホンマイクから入力される音声の音圧が閾値を超えていることを検出する音圧検出部とを備えたことを特徴とする請求項１又は請求項２記載のエレベータ通話装置の自動点検装置。
【請求項４】
エレベータ制御装置がエレベータの利用が少ない閑散時間帯になった時、これを自動的に検出してエレベータ通信制御装置に直接通話機能自動点検モードへ移行するステップと、
直接通話機能自動点検モードへ移行すると、監視センターの受信装置と電話回線を接続し、直接通話機能自動点検モードコマンドを出力するステップと、
エレベータ通信制御装置が音声データ部に記憶している音声データを音声データ変換部でアナログ音声に変換してかご内インターホンスピーカへ出力し、その出力音声をかご内インターホンマイクから入力し、入力された音声を監視センターの受信装置に送信するステップと、
受信装置は入力された音声の音圧が閾値を超えているかどうかを判定するステップと、を備えたことを特徴とするエレベータ通話装置の自動点検方法。
【発明の詳細な説明】
【技術分野】
【０００１】
この発明は、エレベータ通話装置に係り、特に、インターホン直接通話機能を自動点検できるようにしたエレベータ通話装置の自動点検装置及びその方法に関するものである。
【背景技術】
【０００２】
図２に従来技術によるインターホン直接通話機能点検を行う為の構成を示す。図２は、エレベータ保守員が監視センターとの直接通話機能を点検する機能を有するエレベータ通信制御装置と監視センターの受信装置、及びエレベータ保守員が、かご内操作盤を特定操作した時にエレベータ通信制御装置へ直接通話機能点検モードヘ移行する指令を出力する機能を有するエレベータ制御装置の構成図である。図中、１はエレベータ通信制御装置又はそのＣＰＵであり、２は監視センターに設置する受信装置である。３はエレベータの保守員が操作するかご内操作盤、４はかご内操作盤３の特定操作を検出するエレベータ制御装置、５はかご内に装備するインターホン子機のスピーカ、６はエレベータ通信制御装置１内に搭載し、インターホン子機のスピーカ５へ音声を出力するスピーカ出力部、７はインターホン子機のマイク、８はエレベータ通信制御装置１に搭載し、インターホン子機のマイク７からの音声を取り込むマイク入力部、９は監視センターの受信装置２との電話通信を制御する電話通信制御部、１０は電話通信制御部９から送られる音声をスピーカ出力部６へ出力したり、マイク入力部８の音声を電話通信制御部９へ出力する音声送受信制御部、１１はエレベータ制御装置４との通信を行うためのエレベータインターフェース、１２は監視センターの受信装置２に搭載されるエレベータ通信制御装置１との電話通信を制御する電話通信制御部、１３は電話回線を介して電話通信制御部１２から入力される音声の音圧が閾値を超えていることを検出する音圧検出部、１４は基準となる音圧の音声（基準音）を発生し、電話通信制御部１２に出力する基準音発生部である。
【０００３】
エレベータ保守員が、インターホン直接通話機能の点検を実施する為にかご内操作盤３を特定操作すると、エレベータ制御装置４がエレベータインターフェース１１を介してエレベータ通信制御装置１に直接通話機能点検モードヘ移行する指令を出力する。エレベータ通信制御装置１は指令を受けると、監視センターの受信装置２と電話回線を接続し、直接通話機能点検モードを示すコマンドを出力する。受信装置２は直接通話機能点検モードにおいて、基準音発生部１４から基準音圧の発信音（基準音）を出力し、受信装置２は電話通信制御部１２を介して、エレベータ通信制御装置１へ送信する。エレベータ通信制御装置１は受信した発信音を音声送受信制御部１０へ渡し、音声送受信制御部１０は、その発信音をスピーカ出力部６を経由してかご内インターホン子機のスピーカ５へ出力する。エレベータ保守員はインターホン子機のスピーカ５から発される発信音が聞こえたら、インターホン子機のマイク７に向かって基準音圧以上の音声を発する。エレベータ通信制御装置１は音声送受信制御部１０を介して、マイク入力部８から入力された音声を電話通信制御部９によって監視センターの受信装置２へ送信する。受信装置２は電話通信制御部１２からの音声を音圧検出部１３へ渡し、音圧検出部１３は入力された音声の音圧が閾値を超えているかどうかを判定する。受信装置２は音圧検出部１３で基準値を超えていると判定された場合と判定されなかった場合とで異なる発信音を基準音発生部１４から発生し、その発信音を電話通信制御部１２から送信する。エレベータ通信制御装置１は受信した発信音を前述と同様にスピーカ出力部６へ出力し、エレベータ保守員はインターホン子機のスピーカ５からの発信音を聞き分けて、判定結果を知ることができる。
【０００４】
また、従来技術として、通信回線を介して外部の監視センターと接続されている遠隔監視装置の直接通話機能を点検するための装置において、一般公衆回線を使用せずに一人で簡便な通話点検が行えるようにしたものが提案されている（例えば、特許文献１参照）。
【０００５】
【特許文献１】特開２０００−４８２８６号公報
【発明の開示】
【発明が解決しようとする課題】
【０００６】
従来技術によるエレベータのインターホン直接通話機能の場合では、点検を行う為には、必ずエレベータ保守員が介在する必要があるという問題点がある。
また、特許文献１記載のものでも、直接通話機能の通話点検は一人で簡便に行えるが保守点検員は必ず必要である。
【０００７】
この発明は、上述のような課題を解決するためになされたもので、従来エレベータ保守員が行っていたインターホン直接通話機能点検の無人化、及びインターホン子機のマイク／スピーカの点検機能の自動化により、点検時間作業の削減を図ることができるエレベータ通話装置の自動点検装置及びその方法を提供するものである。
【課題を解決するための手段】
【０００８】
この発明に係るエレベータ通話装置の自動点検装置においては、エレベータ故障時に外部の監視センターへ電話回線で自動通報する機能と、通報時にかご内インターホンを利用してかご内から監視センターと直接通話する機能とを有するエレベータ通信制御装置において、エレベータ通信制御装置がかご内インターホンスピーカから音声を流してインターホンマイクから入力した音声を監視センターへ送信することによって、直接通話機能を自動点検できるようにしたものである。
【０００９】
また、この発明に係るエレベータ通話装置の自動点検方法においては、エレベータ制御装置がエレベータの利用が少ない閑散時間帯になった時、これを自動的に検出してエレベータ通信制御装置に直接通話機能自動点検モードへ移行するステップと、直接通話機能自動点検モードへ移行すると、監視センターの受信装置と電話回線を接続し、直接通話機能自動点検モードコマンドを出力するステップと、エレベータ通信制御装置が音声データ部に記憶している音声データを音声データ変換部でアナログ音声に変換してかご内インターホンスピーカへ出力し、その出力音声をかご内インターホンマイクから入力し、入力された音声を監視センターの受信装置に送信するステップと、受信装置は入力された音声の音圧が閾値を超えているかどうかを判定するステップとを備えたものである。
【発明の効果】
【００１０】
この発明によれば、エレベータの利用客が少ない閑散時間帯等に直接通話機能を自動的に点検できるので、従来エレベータ保守員が行っていたインターホン調節通話機能点検の無人化、及びインターホン子機のマイク／スピーカの点検機能の自動化により、点検時間作業の削減を図ることができる。
【発明を実施するための最良の形態】
【００１１】
実施の形態１．
図１はこの発明の実施の形態１におけるエレベータ通話装置の自動点検装置を示す構成図である。
図中、１はエレベータ通信制御装置又はそのＣＰＵであり、２は監視センターに設置する受信装置である。３はエレベータの保守員が操作するかご内操作盤、４はかご内操作盤３の特定操作を検出するエレベータ制御装置、５はかご内に装備するインターホン子機のスピーカ、６はエレベータ通信制御装置１内に搭載し、インターホン子機のスピーカ５へ音声を出力するスピーカ出力部、７はインターホン子機のマイク、８はエレベータ通信制御装置１に搭載し、インターホン子機のマイク７からの音声を取り込むマイク入力部、９は監視センターの受信装置２との電話通信を制御する電話通信制御部、１０は電話通信制御部９から送られる音声をスピーカ出力部６へ出力したり、マイク入力部８の音声を電話通信制御部９へ出力する音声送受信制御部、１１はエレベータ制御装置４との通信を行うためのエレベータインターフェース、１２は監視センターの受信装置２に搭載されるエレベータ通信制御装置１との電話通信を制御する電話通信制御部、１３は電話回線を介して電話通信制御部１２から入力される音声の音圧が閾値を超えていることを検出する音圧検出部、１４は基準となる音圧の音声（基準音）を発生し、電話通信制御部１２に出力する基準音発生部である。これらの構成は、図２に示す従来装置と同様である。
【００１２】
この発明の特徴とするところは、エレベータ通信制御装置１がかご内のインターホン子機のスピーカ５から音声を流してインターホン子機のマイク７から入力した音声を監視センターへ送信することによって、直接通話機能を自動点検出来るようにしたことである。
その構成について図１により説明する。１５はエレベータ通信制御装置１に搭載し、任意の音声デ一夕をデジタルデータとして記憶する音声データ記憶部、１６はエレベータ通信制御装置１に搭載し、音声データ記憶部１５に記憶されているデジタルデータをアナログ音声に変換する音声データ変換部、１７はエレベータ通信制御装置１に搭載し、入力される音声の音圧が閾値を超えていることを検出する音圧検出部である。
【００１３】
次に動作について説明する。エレベータ制御装置４がエレベータの利用が少ない閑散時間帯になった時、これを検出して自動的にエレベータインターフェース１１を介してエレベータ通信制御装置１に直接通話機能自動点検モードヘ移行する指令を出力する。エレベータ通信制御装置１はその自動点検モード指令を受けると、監視センターの受信装置２と電話回線を接続し、直接通話機能自動点検モードを示すコマンドを出力する。受信装置２は直接通話機能自動点検モードにおいて、従来の点検モードと同様に基準音発生部１４から基準音圧の発信音（基準音）を出力し、受信装置２は電話通信制御部１２を介して、エレベータ通信制御装置１へ送信する。エレベータ通信制御装置１は受信した発信音を音声送受信制御部１０へ渡し、音声送受信制御部１０は、その発信音をスピーカ出力部６を経由してかご内インターホン子機のスピーカ５へ出力する。エレベータ通信制御装置１はスピーカ５から出力された発信音をインターホン子機のマイク７からマイク入力部８を介して入力して音圧検出部１７に渡し、音圧検出部１７は入力された発信音の音圧が閾値を超えているかどうかを判定し、エレベータ通信制御装置１はその判定結果を記録する。判定が終わったら、次にエレベータ通信制御装置１は音声データ記憶部１５に記憶している音声データを音声データ変換部１６でアナログ音声に変換して、スピーカ出力部６を介してスピーカ５へ出力し、その出力音声をインターホン子機のマイク７から入力し、音声送受信制御部１０を介して、マイク入力部８から入力された音声を電話通信制御部９によって監視センターの受信装置２へ送信する。受信装置２は電話通信制御部１２からの音声を音圧検出部１３へ渡し、音圧検出部１３は入力された音声の音圧が閾値を超えているかどうかを判定する。受信装置２は音圧検出部１３で基準値を超えていると判定された場合と判定されなかった場合とで異なるデータを電話通信制御部１２を介してエレベータ通信制御装置１へ送信する。エレベータ通信制御装置１は受信した判定結果データを記録する。
上記動作により、インターホン直接通話機能の自動点検を行うことによって、直接通話機能の無人化が可能となり、実施頻度を多くすることによる品質の維持・向上、及び音圧検出を機械化することによる点検精度・品質レベルの個人差削減を図れる。
【図面の簡単な説明】
【００１４】
【図１】この発明の実施の形態１におけるエレベータ通話装置の自動点検装置を示す構成図である。
【図２】従来のエレベータ通話装置の直接通話機能点検を行うための構成を示す構成図である。
【符号の説明】
【００１５】
１  エレベータ通信制御装置
２  監視センターの受信装置
３  かご内操作盤
４  エレベータ制御装置
５  インターホン子機のスピーカ
６  スピーカ出力部
７  インターホン子機のマイク
８  マイク入力部
９  電話通信制御部
１０  音声送受信制御部
１１  エレベータインターフェース
１２  電話通信制御部
１３  音圧検出部
１４  基準音発生部
１５  音声データ記憶部
１６  音声データ変換部
１７  音圧検出部
【図１】
2007119106.tif 000003
【図２】
2007119106.tif 000004